(57)【要約】【課題】外栓と内栓との二重栓状に形成した栓体の、内栓の内部に、抹茶パウダーを装填しておくケースを設け、そのケースの下端に開口を設けて、その開口を蓋栓により封緘しておき、その蓋栓が、取り扱い中の他の器物との接触や誤操作があっても、外れることのないように、確実に保持されるように構成する。【解決手段】瓶１の口１０を閉栓する栓体ａを、外栓２と、内栓３との二重栓状に形成し、外栓２には、瓶１内に垂下する鞘筒２１と、その鞘筒２１の上端側に連続するねじ筒２３とを形成し、内栓３には、ねじ筒２３の外周に螺合するねじ蓋３０と、鞘筒２１内に嵌挿される芯筒３１とを形成し、かつ、鞘筒２１の下端に、蓋栓４を嵌着し、ねじ筒２３とねじ蓋３０との螺合部に、ねじ蓋３０のねじ込みのエンドの手前においてストップさせるよう規制する規制部材５を、その規制の解除を可能に装設する。【選択図】図２
0003106710.tif 000002
【実用新案登録請求の範囲】
【請求項１】
ペットボトルよりなる瓶１の口１０を閉栓する栓体ａを、瓶１の口１０の外周のねじ部１０ａに直接雌ねじ状に螺合する筒状の外栓２と、この外栓２の内側に螺合する内栓３との二重栓状に形成し、その外栓２には、それの内側に、該外栓２が瓶１の口１０に螺合した状態において、瓶１内に垂下する鞘筒２１を形成し、上面側には外周面に雄ねじを設けたねじ筒２３をそれの内腔が前記鞘筒２１の内腔と連続する形態に形成し、内栓３には、前記外栓２のねじ筒２３の外周に螺合するねじ蓋３０と、それの軸心に寄る部位に前記外栓２の鞘筒２１内に嵌挿される芯筒３１とを形成し、かつ、その芯筒３１は、内栓３のねじ蓋３０が外栓２のねじ筒２３に対し一杯にねじ込まれた状態においてその芯筒３１の下端が外栓の鞘筒２１の下端から少し下方に突出する垂下長さに形成し、鞘筒２１の下端に、上面により芯筒３１の下端の開口３２を封緘する蓋栓４を嵌着し、外栓２のねじ筒２３と内栓３のねじ蓋３０との螺合部に、ねじ蓋３０の螺合をそれのねじ込みのエンドの手前においてストップさせるよう規制する規制部材５を、その規制の解除を可能に装設したことを特徴とする即席飲料の調製容器。
【請求項２】
内栓３のねじ蓋３０の天板部３０ａの軸芯部位に、芯筒３１の内腔の上端側を外部に対して開放する開放口３５を形成し、ねじ蓋３０の天板部３０ａの上面側には、ねじ蓋３０の上面に重合する蓋板３３を、それを開閉回動可能に支持するヒンジ部３４と共に、内栓３を成形する合成樹脂材により一体に連続させて成形して配位し、その蓋板３３の下面とねじ蓋３０との間に、蓋板３３を重合して押圧することにより互いに嵌合して蓋板３３を重合位置に保持せしめる嵌合部を装設しておくことを特徴とする即席飲料の調製容器。
【請求項３】
外栓２の鞘筒２１の下端に嵌着する蓋栓４を、鞘筒２１の下端部に対し屈曲自在のヒンジ部４１を介して連結させておくことを特徴とする請求項１記載の即席飲料の調製容器。
【考案の詳細な説明】
【技術分野】
【０００１】
本考案は、抹茶のパウダーまたは粉末状乃至顆粒状のサプリメントを、湯または水に溶かして即席の飲料として服用するときの、即席飲料を調製する調製容器に関する。
【背景技術】
【０００２】
抹茶のパウダーまたは粉末状乃至顆粒状のサプリメントを、湯または水により即席の飲料に調製して服用するときに用いる調製容器には、内容量が１リットル程度のＰＥＴ（ポリエチレン・テフタレート）製のボトルに、ミネラルウォーターまたは沸かした湯を充填して封栓しておき、このペットボトルに、一服分の抹茶・サプリメントを包んだ袋を添えた形態のものがある。
【０００３】
このものは、抹茶の一服分の包袋をペットボトルに添付したものについていえば、抹茶を服用するときに、ペットボトルの口を開栓して、その口から包袋内の抹茶のパウダーを、ペットボトル内に投入し、再び閉栓して、ペットボトルを振ることで、投入した抹茶のパウダーを、ペットボトル内に予め充填してあるミネラルウォーターまたは沸かした湯に溶かして、抹茶に調製し、しかるのち、再び開栓してこれを注ぎ出して服用するように用いる。
【０００４】
しかし、この形態の即席飲料の調製容器は、ペットボトルに添付する抹茶・サプリメントの包袋が、ペットボトルの外面における頸部に紐により吊り下げるようになることで、携帯または販売のために輸送するときに損傷を受けたり、脱落することがある問題がある。
【０００５】
ペットボトルに添付する包袋は、ペットボトルの胴周面に巻き付けるよう貼着する化粧のフィルムシートの内側に閉じ込めるようにする手段も考えられるが、これを取り出すときに、貼着したフィルムシートを破かなければならず、その作業が厄介なことを、そのフィルムシートを破るときに包袋に損傷が生じ易い別の問題がでてくる。
【０００６】
このことから、抹茶のパウダーまたは粉末状乃至顆粒状のサプリメントは、ペットボトルの栓を、中空のケース状に形成して、その栓の内腔に一服分の抹茶またはサプリメントを装入し、それの、ペットボトル内に垂下する内端側に取出口を設けて開放可能のシールにより封緘しておいて、そのシールを、ペットボトルの口に螺合した栓に、二重軸状に螺合させておいた内栓を、螺合をほどくよう逆回転させることで開放する手段が提案されている。
【０００７】
しかし、この手段は、取り扱い中に内栓が他の器物に接触することや、閉栓を確認するときの誤操作により封緘した蓋栓が外れることがあり、服用を望まないときに、栓内部に装填された抹茶・サプリメントが、ペットボトル内の湯または水に投入してしまう場合を生ぜしめる問題がある。
【考案の開示】
【考案が解決しようとする課題】
【０００８】
本考案において解決しようとする課題は、ミネラルウォーターまたは沸かした湯を注入しておくペットボトルの口に螺合して閉栓する栓体を、中空の筒状に形成した外栓と、それの内側に螺合する内栓とにより形成して、その内栓の内部に、抹茶パウダーまたは粉末状乃至顆粒状としたサプリメントを装填しておくケースを設け、そのケースのペットボトルの内部に垂下する下端に開口を設けて、その開口を蓋栓により封緘しておき、その蓋栓が、栓体の外面側からの操作・作動で外れるようにする際に、その蓋栓が、取り扱い中の他の器物との接触や誤操作があっても、外れることのないように、確実に保持されるように構成する点にある。
【課題を解決するための手段】
【０００９】
この課題を解決するための、本考案手段は、ペットボトルよりなる瓶の口を閉栓する栓体を、瓶の口の外周に直接螺合する外栓と、その外栓の内側に螺合する内栓との二重栓状に形成し、その外栓には、それの内側に瓶内に垂下する鞘筒を、その鞘筒の上端側が該外栓に一体に連続する状態に形成し、上面側には、外周面にねじを設けたねじ筒を、それの内腔が前記鞘筒の内腔と連続する状態に形成しておき、内栓には、前記外栓のねじ筒の外周に螺合するねじ蓋の内側の軸心部位に、前記外栓のねじ筒および鞘筒内に嵌挿される芯筒を一体に連続させて形設し、かつ、その芯筒は、ねじ蓋とねじ筒との螺合が、一杯にねじ込まれた状態において該芯筒の下端が外栓の鞘筒の下端から少し下方に突出する垂下長さに形成し、鞘筒の下端に、内面により芯筒の下端の開口を封緘する蓋栓を嵌合し、外栓のねじ筒と内栓のねじ蓋との螺合部に、ねじ蓋の螺合をそれのねじ込みのエンドの手前においてストップさせるよう規制する規制部材を、その規制の解除を可能に装設しておく手段を提起するものである。
【考案の効果】
【００１０】
この本考案手段によれば、ペットボトル等の瓶の口に螺合して閉栓する栓体の内部に、カートリッジ状に装設せる芯筒内に、抹茶のパウダーまたは粉末状乃至顆粒状のサプリメントを装入し、栓体の外栓に設けた鞘筒の下端に嵌装する蓋栓により芯筒の下端の開口を封緘して、この芯筒内に投入しておき、服用するときには、規制部材を取り除くか、内栓のねじ蓋をよく螺し込んで規制部材を変形させることで、規制を解除して、ねじ蓋を螺合のエンドに向けねじ込めば、蓋栓が外れるようにしているのだから、取り扱い中に接触によりねじ蓋の螺合に緩みが生じても、蓋栓に外れが生ずることはなく、また、蓋栓の外れがねじ蓋のねじ込みで行われることから、取り扱い中に、ねじ蓋の締め込みを確認するなどのために、ねじ蓋を逆方向に回す操作を行っても、蓋栓に外れを生ぜしめることがなくなる。
【考案を実施するための最良の形態】
【００１１】
本考案手段による即席飲料の調製容器は、瓶の口に螺合して閉栓する栓体を、瓶の口の外周に螺合する外栓と、その外栓の内側に螺合する内栓との二重栓状に形成して、それの外栓には、内周側に、瓶内に垂下する鞘筒を一体に連続させて設けるとともに、その鞘筒に連続して上面側に突出するねじ筒を設けておき、内栓には、前記外栓のねじ筒の外周に螺合するねじ蓋と、前記外栓の鞘筒内に嵌挿される芯筒とを設けて、この芯筒を抹茶パウダーまたは粉末状乃至顆粒状のサプリメントを装填しておくカートリッジとし、装填して抹茶・サプリメントを瓶内に落下させる落下口とする該芯筒の下端の開口を、前述の外栓に設けた鞘筒の下端の開口に下方から嵌着する蓋栓の内面側によりシールする。
【００１２】
そして、外筒のねじ筒と内栓のねじ蓋との螺合部には、ねじ筒に対するねじ蓋の螺合を、そのねじ蓋のねじ込みがエンドに達する少し手前において、ねじ込みを停止させるよう規制する規制部材を、それによる規制を解除可能に設けておき、この規制部材による規制を解除した状態でねじ蓋をねじ込みのエンドに向けねじ込むことで、芯筒の下端を押し下げ、蓋栓を突き落として芯筒の開口を瓶内に開放し、芯筒内に装填してある抹茶・サプリメントを瓶内に落下させて、瓶内のミネラルウォーターまたは沸かした湯内への投入が行われるように構成する。
【実施例１】
【００１３】
図１乃至図３は、本考案を実施せる即席飲料の調製容器の第１の実施例を示し、図１は全体の斜視図、図２は同上の縦断正面図、図３は、同上の栓体の組付け途上における縦断正面図である。
【００１４】
図１〜図３において、１は瓶、１０は瓶１の口、ａはその瓶１の口１０に螺合してその口１０を封栓する栓体、２はその栓体ａの外栓、３は外栓２の内側に螺合する内栓、４は蓋栓、５は規制部材を示す。
【００１５】
瓶１はＰＥＴ（ポリエチレン・テフタレート）で成形した通常のペットボトルであり、その口１０には、外周面に雄ねじ１０ａが形設してある。
【００１６】
栓体ａは、合成樹脂材で成形してあるが、瓶１の口１０の外周の雄ねじ１０ａに対し直接螺合する外栓２と、その外栓２の内側の軸心部位に２つに分けて、それらを各別に成形し、かつ、それらの螺合により組み立てられる２重栓状に形成してある。
【００１７】
外栓２には、それを瓶１の口１０の外周の雄ねじ１０ａにキャップ状に螺合する雌ねじ２０と、その雌ねじ２０が螺合した状態時に、瓶１の口１０の内側に位置して瓶１内に垂下する鞘筒２１が、一体に連続して形設してあり、その鞘筒２１の下端側は図４にあるように、瓶１の頸部内において瓶１の胴部に向け開放し、または上端側は、それの上部に連続するよう外栓２の上面側に設けた雄ねじ状のねじ筒２３の内腔を介して上方に開放している。
【００１８】
前記ねじ筒２３は、外栓２の軸心に寄る部位に、外栓２の外径よりも小径に形成してあり、外栓２を成形する合成樹脂材により一体に連続させて成形してあって、このねじ筒２３の基端側の外周における外栓２の上面に図３にあるように、ねじ筒２３を取り囲むリング状の段面２４に形成してある。
【００１９】
内栓３は、前述の外栓２の雄ねじ状のねじ筒２３の外周面に螺合する雌ねじ状のねじ蓋３０と、それの天板部３０ａの下面の軸心部に寄る部位から垂下する芯筒３１とで、図３にあるように、縦断面において略Ｔ字形をなす形状に成形してある。
【００２０】
その芯筒３１は、内栓３を外栓２に螺合した状態において、その外栓２の鞘筒２１の内側に嵌挿される外径で、かつ、下端の開口３２が、外栓２の鞘筒２１の下縁の開口２２と略揃う位置を占める長さに形成してある。
【００２１】
さらに、詳しくいえば、内栓３のねじ蓋３０を、外栓２のねじ筒２３に螺合した状態において、そのねじ蓋３０の螺合が、ねじ込みのエンドに達して、ねじ蓋３０の底面が外栓２の段面２４に接するようになったときに、この芯筒３１の下端の開口３２が、図４にあるように外栓２の鞘筒２１の下端の開口２２から少し下方に突出する長さに設定してある。
【００２２】
また、この芯筒３１の上端側は、内栓３のねじ蓋３０の天板部３０ａに連続して、その天板部３０ａにより盲状に閉鎖されていてよいものであるが、この例においては、ねじ蓋３０の天板部３０ａの上層部を、ねじ蓋３０とは別体の蓋板３３に成形し、かつ、ねじ蓋３０を成形する合成樹脂材により一緒に成形するヒンジ部３４によりねじ蓋３０と連続するように成形してあって、この蓋板３３をそれに設けてあるつまみ３３ａをもってヒンジ部３４により図３にあるように上方に回動させることで、芯筒３１の上端部が外部に対し開放するようになり、この開放口３５から抹茶・サプリメントの芯筒３１内への装入が行えるようにしてある。
【００２３】
この天板部３０ａの上面に設ける蓋板３３は、ヒンジ部３４により下方に回動させてねじ蓋３０の上面に押圧することで、それの下面に適宜形設しておく嵌合部が、芯筒３１の上端の開放口３５または、ねじ蓋３０の上面に適宜形設しておく嵌合部と嵌め合わせることで、ねじ蓋３０の上面に一体的に連結して、芯筒３１の上端側の開放口３５を封栓するようになる。
【００２４】
蓋栓４は、前述の内栓３の芯筒３１の下端側の開口３２を封栓して、その芯筒３１内に装入した抹茶・サプリメント等を芯筒３１内に封入するためのものであるが、この例においては、図３にあるように、周縁に、外栓２の鞘筒２１の下端縁の外周に嵌合する縁枠４０が上向に突出する円板状に形設してあって、この縁枠４０を鞘筒２１の下端縁の外周に嵌合してその鞘筒２１に連結することにより、芯筒３１の下端の開口２２を封栓するようにしてある。
【００２５】
このことから、この蓋栓４の上面側には、芯筒３１の下端の開口２２に接する弾褥材が設けてある。
【００２６】
この蓋栓４の鞘筒２１の下端に対する嵌着は、図２にあるように、外栓２のねじ筒２３に対するねじ蓋３０の螺じ込みが、その螺じ込みのエンドに達する少し手前位置を占め、これにより内栓３の芯筒３１の下端の開口３２が外栓２の鞘筒２１の下端の開口２２より上方に位置している状態において行なう。
【００２７】
そして、この蓋栓４の取り外しは、ねじ込みが、エンドに達する手前の位置にあるねじ蓋３０を、ねじ込みのエンドに向けねじ込んでいき、それにより芯筒３１の下端が下降して鞘筒２１の下端に嵌着している蓋栓４を押し下げていくことで行なうようにしている。
【００２８】
規制部材５は、この蓋栓４のねじ込みのエンドの少し手前の位置からのねじ込みが行われないように規制するためのもので、合成樹脂材などの弾性を具備する資材で、細いバンド５０に形成して、ねじ筒２３の基端の外周に巻き付けるように装着してあり、それの一端側には、引き手５１が設けてあって、この引き手５１を摘んで引き出すことで、外栓２から外れるようにしてある。
【００２９】
従って、この規制部材５としたバンド５０を巻き付け装着してある状態においては、ねじ蓋３０は図２にあるように、芯筒３１の下端が鞘筒２１内に位置している状態位置からのねじ込みが停止するように規制され、この規制部材５としたバンド５０を引き抜いて取り除くことで、ねじ蓋３０のねじ込みのエンドまでのねじ込みが行われるようになっている。
【実施例２】
【００３０】
図５および図６は、別の実施例を示している。
この例は、内栓３のねじ蓋３０を外栓２のねじ筒２３に螺合させたときのねじ込みを、ねじ込みのエンドに達する少し手前の位置で停止させるよう規制する規制部材５の構成を変えている例であり、栓体を外栓２と内栓３との２重栓状に形成し、外栓２には鞘筒２１とねじ筒２３とを設け、内栓３にはねじ蓋３０と芯筒３１とを設け、また芯筒３１の下端の開口３２を、鞘筒２１の下端に嵌着する蓋栓４によりシールする等の基本的な構成については実施例１のものと変わりがない。
【００３１】
しかして、規制部材５は、内栓３を成形する合成樹脂材により板５２に成形して、内栓３のねじ蓋３０の下端部の外周から、略水平に突出する鍔状に装設してあり、かつ、強い力を加えることで変形するように薄く成形してある。
【００３２】
そして、外栓２の肩部の段面２４には、前述の実施例１において規制部材５として装設されるバンド５０の上下の厚さに相当する高さの台面２４ａを、規制部材５とする前記鍔状に突出する板５２の下面と対向させて形成しておいて、この台面２４ａに鍔状の板５２の下面が接して、それらの間の摩擦抵抗によりねじ蓋３０のねじ込み回動を停止させて、所定位置においてねじ蓋３０のねじ込みを規制するようにしてある。
【００３３】
また、芯筒３１の下端の排出口となる開口３２を封緘する蓋栓４は、それの周縁に上向きに突出するよう設けておくリング状の縁枠４０を鞘筒２１の下端の外周に嵌合して、鞘筒２１に対し嵌着することで、それの上面側を芯筒３１の下端の開口３２に密接させてその開口３２を封緘するようにしているが、この例においては、この蓋栓４は、外栓２を合成樹脂材で成形する際に、その合成樹脂材により外栓２と一緒に成形し、かつ、外栓２の鞘筒２１の下端に、屈曲自在のヒンジ部４１で連続するように、そのヒンジ部４１とも一緒に成形してあって、これにより、鞘筒２１の下端に嵌着して芯筒３１の下端の開口３２を封緘した状態から、ねじ蓋３０を強力にねじ込んで規制部材５の板５２を変形させてねじ蓋３０がねじ込みのエンドにまでねじ込まれて、それによる芯筒３１の下降により図６にあるよう蓋栓４が外れたときに、ヒンジ部４１を介して鞘筒２１の下端につり下がるようにしてある。
【図面の簡単な説明】
【００３４】
【図１】本考案を実施せる即席飲料の調製容器の斜視図である。
【図２】同上の調製容器の縦断正面図である。
【図３】同上調製容器の組立途上における縦断正面図である。
【図４】同上調製容器のねじ蓋をねじ込んで蓋栓を外した状態の説明図である。
【図５】同上調製容器の別の実施例の縦断側面図である。
【図６】同上調製容器のねじ蓋をねじ込んで蓋栓を外した状態の説明図である。
【符号の説明】
【００３５】
ａ…栓体、１…瓶、１０…瓶の口、１０ａ…雄ねじ、２…外栓、２０…雌ねじ、２１…鞘筒、２２…開口、２３…ねじ筒、２４…段面、２４ａ…台面、３…内栓、３０…ねじ蓋、３０ａ…天板部、３１…芯筒、３２…開口、３３…蓋板、３３ａ…つまみ、３４…ヒンジ部、３５…開放口、４…蓋栓、４０…縁枠、４１…ヒンジ部、５…規制部材、５０…バンド、５１…引き手、５２…板。
【図１】
0003106710.tif 000003
【図２】
0003106710.tif 000004
【図３】
0003106710.tif 000005
【図４】
0003106710.tif 000006
【図５】
0003106710.tif 000007
【図６】
0003106710.tif 000008